(57)【要約】      （修正有）【課題】レンズの曇りを防止できる曇り止めメガネを提供する。【解決手段】左右一対のレンズ２と、このレンズを支持するフレームとを備えたものであって、当該メガネ１を装着したときに、装着者Ｐの鼻に当接することで、レンズ２と装着者Ｐの鼻との間に所定の離間距離Ｄを設ける位置決め部が設けられている。位置決め部は、フレームの中間位置から後方に突設された支持部５と、この支持部５の先端において装着者の鼻に当接する当接部６とを備える。【選択図】図４
2015114337.tif 000002
【特許請求の範囲】
【請求項１】
左右一対のレンズと、このレンズを支持するフレームとを備えたものであって、当該メガネを装着したときに、装着者の鼻に当接することで、レンズと装着者の鼻との間に所定の離間距離を設ける位置決め部が設けられていることを特徴とする曇り止めメガネ。
【請求項２】
前記位置決め部は、前記フレームの中間位置から後方に突設された支持部と、この支持部の先端において装着者の鼻に当接する当接部とを備えているものであることを特徴とする請求項１に記載の曇り止めメガネ。
【請求項３】
前記位置決め部は、前記支持部の長さを可変とできるように構成されていると共に、前記フレームと支持部との連結部位において、設置角度を可変とできるように構成されていることを特徴とする請求項１または２に記載の曇り止めメガネ。
【請求項４】
左右一対のレンズとこのレンズを支持するフレームとを備えたメガネに装着されるものであって、前記フレームの中間位置に位置決め固定される取付部と、この取付部から後方に突設される支持部と、この支持部の先端において装着者の鼻に当接する当接部とを備え、前記メガネを装着したときに、装着者の鼻に前記当接部が当接することで、レンズと装着者の鼻との間に所定の離間距離が設けられることを特徴とする補助具。
【請求項５】
前記取付部は、バネを備えて前記フレームに対して、着脱可能に位置決め固定されるようにされており、前記支持部は、長さを可変とするように構成されていると共に、前記取付部と前記支持部との取り付け角度が可変とされていることを特徴とする請求項４に記載の補助具。
【発明の詳細な説明】
【技術分野】
【０００１】
本発明は、曇り止めメガネに関する。
【背景技術】
【０００２】
日本では冬場になると、カゼ等の病原体の拡散や吸入を防止するために、マスクをすることが多い。マスクをした状態でメガネをしていると、マスク上端縁や左右両側縁から呼気が流れ出て、呼気中に含まれる水蒸気によってメガネのレンズが曇ってしまう。このとき、曇ったレンズを拭けば済むのであるが、そのような行為を何度も繰り返すのは煩わしい。
このため、メガネのレンズ面の曇りを防止するための工夫がなされている（特許文献１，２）。特許文献１には、マスク本体の上縁部から上方向に面積を拡張して新しい上縁部及び両側縁部を設けた四角形のマスク本体と耳掛け部で構成し、切れ目のない拡張した部分を顔面側に折り曲げて装着することにより、マスクと顔面との隙間を狭くして呼気が上方向に漏れないようにするとともに、折り曲げて略逆Ｖ字形の空間を作ることで、呼気が空間に入り上方向に漏れないようにしてメガネが曇るのを防止する発明が開示されている。
また、特許文献２には、メガネを支持する左右一対のフレームの前部に、空気を流す換気通路を形成することで外気を取り込み、レンズの曇りを防止する発明が開示されている。
【先行技術文献】
【特許文献】
【０００３】
【特許文献１】特開２０１３−７５１３０号公報
【特許文献２】特表２０００−５０１２０３号公報
【発明の概要】
【発明が解決しようとする課題】
【０００４】
しかしながら、特許文献１に開示された発明の構成では、鼻の周囲を圧迫するために、長時間の使用によって痛みが発生することがある。また、特許文献２に開示された発明の構成では、メガネが高価になると共に、レンズの曇りが十分に防止できないことがあった。
本発明は、上記した事情に鑑みてなされたものであり、その目的は、レンズの曇りを防止できるメガネを提供することである。
【課題を解決するための手段】
【０００５】
上記目的を達成するための発明に係る曇り止めメガネは、左右一対のレンズと、このレンズを支持するフレームとを備えたものであって、当該メガネを装着したときに、装着者の鼻に当接することで、レンズと装着者の鼻との間に所定の離間距離を設ける位置決め部が設けられていることを特徴とする。
上記構成によれば、メガネを装着したときには、装着者の鼻に位置決め部が当接することで、鼻とレンズとの間に所定の離間距離が確保される。このため、マスクをしていたとしても、マスクの上端から漏れ出る呼気に含まれた水蒸気はレンズに至ることなく空中に放出されるので、レンズが曇ることを防止できる。
位置決め部の構成としては、例えば、（１）フレームの中間位置から後方に突設された支持部と、この支持部の先端において装着者の鼻に当接する当接部とを備えているもの（以下、構成Ａという）、（２）フレームの左右両側部から後方に向かって延設されたテンプルにおいて、左右のテンプルを連結する連結体を設け、この連結体の下部に装着者の鼻に当接する当接部を備えているもの（以下、構成Ｂという）などを例示できる。
【０００６】
離間距離としては、例えば１ｃｍ〜４ｃｍ（好ましくは、１.５ｃｍ〜３ｃｍ）を設定することができる。
また、前記位置決め部は、前記離間距離を可変とできるように構成することが好ましい。そのようにすれば、装着者の個体差に依らずに、適当な離間距離を取ることができるので、使用性が良好な曇り止めメガネとなる。この構成を採用する場合、構成Ａのときには、前記支持部の長さを可変とする構成、構成Ｂのときには、前記連結体の位置が前記テンプルの長さ方向に沿って移動可能とする構成を採用することが好ましい。
また、構成Ａのときには、前記支持部の突設角度を可変とすることが好ましい。このような構成としては、例えば（１）フレームと支持部との連結部位において、設置角度を可変とする構成、（２）支持部の中間位置において、角度を可変とできる構成を採用することができる。そのような場合に、支持部を剛性の高いもので構成するときには角度可変機構を設ける構成、支持部を針金のように適当に角度を変更できるものとする構成が採用できる。
【０００７】
また、構成Ｂのときには、前記連結部と前記当接部との距離を可変とすることが好ましい。そのようにすれば、装着者の個体差に依らずに、適当な設置角度を取ることができるので、使用性が良好な曇り止めメガネとなる。
また、第二の発明に係る補助具は、左右一対のレンズとこのレンズを支持するフレームとを備えたメガネに装着されるものであって、前記フレームの中間位置に位置決め固定される取付部と、この取付部から後方に突設される支持部と、この支持部の先端において装着者の鼻に当接する当接部とを備え、前記メガネを装着したときに、装着者の鼻に前記当接部が当接することで、レンズと装着者の鼻との間に所定の離間距離が設けられることを特徴とする。
【０００８】
補助具は、上記構成Ａを採用するために、市販されているメガネに装着するためのものである。この補助具によれば、メガネを装着したときに、装着者の鼻に当接部が当接することで、鼻とレンズとの間に所定の離間距離が確保される。このため、マスクをしていたとしても、マスクの上端から漏れ出る呼気に含まれた水蒸気はレンズに至ることなく空中に放出されるので、レンズが曇ることを防止できる。
前記取付部は、フレームに対してネジ等で固定するものではなく、バネなどの弾性体を備えてフレームに対して、着脱可能に位置決め固定されるものであることが好ましい。
また、前記支持部は、長さを可変とするように構成されており、前記離間距離を可変とできることが好ましい。
また、前記支持部の突設角度を可変とすることが好ましい。
【発明の効果】
【０００９】
本発明によれば、レンズの曇りを防止できるメガネを提供することが可能となる。
なお、本発明では、レンズの曇りを防止するためにメガネ側の構成を提供したが、加えてマスク側の構成（例えば、マスク上端縁の裏面側に、鼻に粘着する両面テープを施しておく）して、呼気の流れがレンズの裏面側に至らないような構成を採用することで、レンズの曇りを更に良好に防止できる。
【図面の簡単な説明】
【００１０】
【図１】第１実施形態における曇り止めメガネの斜視図である。
【図２】曇り止めメガネの正面図である。
【図３】図２におけるＸ−Ｘ線断面図である。
【図４】装着者が曇り止めメガネを装着したときの側面図である。
【図５】第２実施形態における補助具の斜視図である。
【図６】補助具の背面図である。
【図７】補助具の正面図である。
【図８】補助具の側面図である。
【図９】取付部と支持部との取り付け角度を変化させるときの側面図である。図中の矢印Ｓは、支持部が回転可能な方向を示す。
【図１０】支持部の長さを変化させて示したときの側面図である。図中の矢印Ｔは、支持部の長さが可変であることを示す。
【図１１】メガネに補助具を取り付けたときの正面図である。
【図１２】メガネに補助具を取り付けたときの側面図である。
【図１３】図１１におけるＹ−Ｙ線断面図である。
【図１４】第３実施形態における補助具の正面図（Ａ）及び側面図（Ｂ）である。
【図１５】第４実施形態における曇り止めメガネの斜視図である。
【発明を実施するための形態】
【００１１】
次に、本発明の実施形態について、図表を参照しつつ説明するが、本発明の技術的範囲は、これらの実施形態によって限定されるものではなく、発明の要旨を変更することなく様々な形態で実施することができる。
＜第１実施形態＞
次に、本発明の第１実施形態について、図１〜図４を参照しつつ説明する。図１には、曇り止めメガネ１の斜視図を示した。曇り止めメガネ１は、左右一つのレンズ２と、このレンズを支持するフレーム３とを備えている。フレーム３の中央からは、斜め後方の下方に向かって、位置決め部４が設けられている。位置決め部４は、フレーム３の中間位置から後下方に突設された左右一対の支持部５と、各支持部５の先端において、曇り止めメガネ１の装着者の鼻に当接する当接部６とを備えている。フレーム３と支持部５とは、接着剤によって固定されている。支持部５は、適当な弾性を備えた樹脂材によって、僅かに湾曲して形成されており、所定の長さだけ突設されている。また、当接部６は、柔らかいプラスチックにより略楕円形状の形成されており、支持部５の先端において、鼻の形状に合わせて僅かに変位可能に取り付けられている。
【００１２】
上記のように構成された曇り止めメガネ１を装着すると、図４に示すように、当接部６が装着者Ｐの鼻（より詳細には、鼻梁の左右両側）に当接することで、レンズ２と装着者Ｐとの間に所定の離間距離Ｄが設けられるようになっている。
このため、装着者Ｐがマスクをしていたとしても、マスクの上端から漏れ出る呼気に含まれた水蒸気は、離間距離Ｄの間を通り過ぎて、レンズ２に至ることなく空中に放出されるので、レンズ２が曇ることを防止できる。
【００１３】
＜第２実施形態＞
次に、図５〜図１３を参照しつつ、本発明の第２実施形態について説明する。この実施形態に示すものは、メガネ１０１に装着する補助具１０である。メガネ１００は、通常の市販品であり、左右一対のレンズ１０２と、このレンズ１０２を支持するフレーム１０３とを備えている。
補助具１０は、フレーム１０３の中間位置に位置決め固定するための取付部１１と、この取付部１１の後面から後下方に突設される左右一対の支持部１２と、この支持部１２の先端において装着者の鼻に当接する当接部１３を備えている。取付部１１は、前後二枚の取付板１４，１５を備えており、両取付板１４，１５の上側には、バネ部１６と操作片１７，１８とが備えられている。バネ部１６は、両取付板１４，１５の上端部分を連結すると共に、常には両取付板１４，１５が近接する方向に弾性的に押圧している（付勢している）。また、両操作片１７，１８を近接する方向に押圧することにより、バネ部１６の付勢力に対抗して、両取付板１４，１５を離間させることができる。
【００１４】
取付部１１の後面からは、左右一対の突片１９が突設されており、ここに支持部１２の上端部分がネジ２０により回し付けられている。ネジ２０を緩めて、支持部１２を適当な位置まで回転させて、再びネジ２０を回し付けることにより、図９に示すように、取付部１１と支持部１２との取付角度を任意に変更できる。
支持部１２は、取付部１１に固定される上部片２１と、当接部１３が取り付けられる下部片２２と、両部片２１，２２を挿入可能な可変固定部２３とを備えている。両部片２１，２２において、可変固定部２３に挿入される側の先端には突起（図示せず）が設けられている。一方、可変固定部２３の内部には、この突起を受ける複数の凹部（図示せず）が設けられている。こうして、両部片２１，２２は、可変固定部２３との間で、図１０に示すように、突設長さの異なる複数の固定位置において固定できるようになっている。
当接部１３は、下部片２２の下端側において、装着者Ｐの鼻表面において、鼻の形状に合わせて僅かに変位可能に取り付けられている。
【００１５】
上記のように構成された補助具１０をメガネ１０１に取り付けたときの様子を図１１〜図１３に示した。
補助具１０をメガネ１０１に取り付けるに際し、予めネジ２０を回転操作することで、図９に示すように、取付部１１と支持部１２との角度を適当なところに設置する。また、図１０に示すように、両部片２１，２２を可変固定部２３の適当な位置に固定することで適当な長さに設置する。
次に、補助具１０をメガネ１０１に取り付ける操作手順について説明する。補助具１０の前後操作片１７，１８を互いに近接するように押圧することで、バネ部１６の付勢力に対抗して両取付板１４，１５を離間させる。ここで、離間した取付板１４，１５の間に、メガネ１０１のフレーム１０３の中間部分を挿入し、操作片１７，１８への押圧操作を止める。すると、バネ部１６の付勢力によって、フレーム１０３が両取付板１４，１５の間に挟み付けられ、補助具１０が所定の位置に固定される。
【００１６】
こうして、補助具１０を取り付けたメガネ１０１をかけることにより、図１３に示すように、当接部１３が装着者Ｐの鼻に当接することで、レンズ１０２と装着者Ｐとの間に所定の離間距離Ｄが設けられるようになっている。
このため、装着者Ｐがマスクをしていたとしても、マスクの上端から漏れ出る呼気に含まれた水蒸気は、離間距離Ｄの間を通り過ぎて、レンズ１０２に至ることなく空中に放出されるので、レンズ１０２が曇ることを防止できる。
【００１７】
＜第３実施形態＞
次に、図１４を参照しつつ、本発明の第３実施形態について説明する。なお、本実施形態と第２実施形態とにおいて、同一の作用を奏する構成については、符号にダッシュ（’）を付したものを用いることで説明を省略する。
本実施形態では、補助具３０は、適当な弾性を備えた一本の針金を折り曲げることにより形成されている。取付部３１は、メガネ１０１のフレーム１０３中央位置に下方から引っ掛けることで、メガネ１０１に固定されるようになっている。このようにして構成された第３実施形態においても第２実施形態と同様の効果を奏する。また、一本の針金で補助具３０を形成できるので、安価に提供できる。また、取付部３１と支持部１２’との間の角度を装着者の使用態様に合わせて適当に変化させることができるので、使用感が良好となる。
【００１８】
＜第４実施形態＞
次に、図１５を参照しつつ、本発明の第４実施形態について説明する。なお、本実施形態と第１実施形態とにおいて、同一の作用を奏する構成については、符号にダッシュ（’）を付したものを用いることで説明を省略する。
本実施形態では、曇り止めメガネ１’のフレーム３’の左右両側部から後方に向かって延設されたテンプル４０において、両テンプル４０を連結する連結体４１を設け、この連結体４１の下部に装着者Ｐの鼻に当接する当接部４２が設けられている。連結体４１の左右両端部には、テンプル４０を挿通可能な孔部を有する組付部４３が設けられている。組付部４３はテンプル４０を挿入し、テンプル４０の長さ方向に沿って移動可能とされている。また、組付部４３は、テンプル４０に対して適度な押圧力を備えて、適当な位置で固定できるようになっている。
また、当接部４２は、連結体４１の中央から下方に向かって延設されており、その先端部分（装着者Ｐの鼻に当接する部分）は、左右対称に滑らかな曲線が設けられている。
このようにして構成された本実施形態においても、第１実施形態と同様の効果を奏する。
【符号の説明】
【００１９】
１，１’…曇り止めメガネ
２，１０２…レンズ
３，１０３…フレーム
４…位置決め部
５，１２…支持部
６，１３，１３’，４２…当接部
１０，３０…補助具
１１，３１…取付部
【図１】
2015114337.tif 000003
【図２】
2015114337.tif 000004
【図３】
2015114337.tif 000005
【図４】
2015114337.tif 000006
【図５】
2015114337.tif 000007
【図６】
2015114337.tif 000008
【図７】
2015114337.tif 000009
【図８】
2015114337.tif 000010
【図９】
2015114337.tif 000011
【図１０】
2015114337.tif 000012
【図１１】
2015114337.tif 000013
【図１２】
2015114337.tif 000014
【図１３】
2015114337.tif 000015
【図１４】
2015114337.tif 000016
【図１５】
2015114337.tif 000017